Podtech/llm-jp-corpus-v4-ja_patent huggingface dataset:
(57)【要約】【課題】長時間車両乗車の場合、疲労箇所に痛みやこりが発生し苦悩を感じるものである本発明は長時間の車両乗車、の不快感や痛みをやわらげる凸部を設けた、腰、背骨のほぐし用具を提供する。【解決手段】弾力性のある資材の適当な位置に凸部を設け凸部にかかる人体の圧力をばね作動を発生させて凸部にかかる圧力を軽減させ痛みやこりをほぐしやわらげる凸部構造を特徴とするほぐし用具。【選択図】図１
2014236946.tif 000002
【特許請求の範囲】
【請求項１】
弾力性のある資材に凸部を設けて痛みやこりをほぐす用具。
【請求項２】
痛みやこり、のヶ所に手動で移動できる凸部を設けたほぐし用具。
【発明の詳細な説明】
【技術分野】
【０００１】本発明は凸部を設けて足、腰、背骨をほぐす用具に関するものである、
【拝啓技術】
【０００２】従来足、腰、背骨のほぐし用具は電動式外、規格された製造品用具等使用されている。
【発明の概要】
【発明が解決しようとする課題】
【０００３】人体は長時間の動きになるとさまざまな箇所に痛みやこりが発生するものである長い時間歩くと足の裏に違和感や痛みが来たり、車の長時間乗車の場合は腰や、背骨等に痛みや違和感を、感じたりするものである、
本発明は、以上の問題点を解決するためになされたものである。
【課題を解決するための手段】
【０００４】弾力性ある板状の資材に適当なヶ所に凸部をを設けて凸部に人体の圧力をかけることにより凸部にばね作動が発生し凸部にかかる圧力が適量な圧力に軽減されるものである、以上の構造による凸部を設けたた足、腰、背骨のほぐし用具。
【発明の効果】
【０００５】従来、足、腰、背骨、におきる痛みや、こり、不快感を本発明により解消することが出来る。
本発明は不快感を感じる適当なヶ所に手動で移動させることも出来る。
【図面の簡単な説明】
【０００６】
【図１】本発明の斜線図
【図２】本発明の側面図
【図３】本発明の側面図
【発明を実施するための形態】
【０００７】  以下本発明の実施の形態を説明する
（イ）  弾力性のある資材  （１）に  取手  （２）を設ける
（ロ）  資材  （１）に取手  （２）を設けて加工された物品に
（ハ）  スポンジゴム等の柔らかく弾力性のある資材を取り付ける
本発明は以上のような構造である。
本発明は長時間車両乗車におきる腰や背骨のこりや痛み、
違和感等を、人体の圧力で凸部の伸縮によりばね作動をおこして、ほぐし、快感をもたらす。
【符号の説明】
【０００８】１  弾力性のある板状の資材、    ２  取手、    ３  スポンジゴム
【図１】
2014236946.tif 000003
【図２】
2014236946.tif 000004
【図３】
2014236946.tif 000005
(57)【要約】      （修正有）【課題】煙草の煙、異臭、花粉、ゴミ、細菌、埃、虫等を風で追い払い、首周り、顔面や側頭部にも風で涼しく凌げる機能を持つ首飾り（ネックレス）を提供する。【解決手段】球状パイプ１に風を噴射させる孔２を設け、更にジョイント用の孔３にジョイントパイプ４を嵌めこんで数珠状５にし、風を送るための電池式モーターを内臓したスイッチ付きケース６を繋ぎ様パイプ７で取り付け一体化させる。【選択図】図１
2014236945.tif 000002
【特許請求の範囲】
【請求項１】
送風する首飾り（ネックレス）。
【発明の詳細な説明】
【技術分野】
【０００１】本発明は、煙草の煙、異臭、花粉、細菌、埃、ゴミ、虫等を送風で追い払い、首周りや顔面、側頭部にも涼風を送れる首飾り（ネックレス）に関する。
【背景技術】
【０００２】従来、外出時に頭部や顔面が暑い時は、市販されている団扇や電池式小型扇風機等で顔面等にあてて使い、涼風を送っていた。
他方、人ごみや外出での煙草の煙、異臭、花粉、細菌、埃、ゴミ、虫等は手で追いやったり、マスクを着けるかしか方法がなかった。
特に肉眼では見えない細菌、花粉、埃等はそれらを予測してマスクを着けるしかなかったが、それでも油断して手遅れであることが多い。
【発明が解決しようとする課題】
【０００３】本発明は、手を使わずに煙草の煙、異臭、花粉、細菌、埃、ゴミ、虫等を追っ払ったり、他方暑さを凌ぐにはパイプ状の球部品図１−１に風を噴射させる孔図１−２を設け、ジョイント用パイプ図１−４に球部品の孔図１−３を嵌め込みそれらを無数に繋ぎ合わせて首飾り状の密封した筒にしておき、内部に風を送るための電池式モーターを内臓させたスイッチ付きケース図１−６をパイプ図１−７に取り付けて一体化することが必要となる。
【発明を解決するための手段】
【０００４】本発明は、上記課題を達成させるため図示するように、合成樹脂製の球状パイプ図１−１に風を噴射させる孔図１−２を設けるが各球状パイプの孔の角度は必ず風が上向きになるようにすることで正確な位置に風を噴射させることができるが、そのためには球状パイプの風を噴射させる孔の部分を肉厚にすれば角度が付いた穴を作れる。
この球状パイプの穴図１−３に、継ぎ手パイプ図１−４を嵌め込み複数に繋ぎ合わせて数珠状の首飾り（ネックレス）にしておき図１−５、内部に風を送る装置の電池式モーターをスイッチのついたケース図１−６にセットして数珠状の首飾り（ネックレス）にパイプ図１−７で取り付ければ完成する。
首の周りにネックレスを付ける要領でジョイント部分図１−８を嵌めれば首に装着できる。
他方、単純に合成樹脂製の柔らかい１本の細いパイプに無数の孔を設け、完成させることもできる図３−１２が、風の方向はワンパターンである。
しかし風の方向を変えるウイング図  ３−１３  をパイプの上から嵌め込み図３−１４、敷き詰めて完成させれば数珠状の首飾り（ネックレス）図１−５と同じ効果がある。
【発明の実施の形態１】
【０００５】  本発明の実施の形態が図２に図示されている。
外出時や緊急時に首の回りに取り付ける場合はその時の状況に合わせて円球の孔の位置をやや外側に向ければ図２−１１、風を外向きに送る図２−９ので、煙草の煙、異臭、埃、花粉、細菌、ゴミ、虫除け等に適している。
他方、同じ要領で内向きにすれば図２−１１、首周り、側頭部や顔面に直接風を送り当てる図２−１０ことになるので暑い時に使用できる。このように風向きを調節して用途に合わせて使用できる。
ウイング図３−１３を柔軟性のある合成樹脂製の細いパイプ図３−１５に敷き詰めて完成させても図１−５と同じ効果がある。
他方、単純に一本のパイプに無数の孔を設けた首飾り（ネックレス）図３−１２は吹き出し口が一定しているので、外向き用と内向き用の２種類を用意すれば良い。
【発明の効果】
【０００６】手を使わずに涼風を首周り、側頭部や顔面に送れることが何かの作業をしている時や、動けない状態の時などは快適に暑さを凌げる。
廻りで人が喫煙している場合など、例えばパチンコを遊戯している時に隣で喫煙された場合、その他のケースでも同様、受態喫煙となり煙草の煙と出くわす時は煙を追いやる効果があるので健康のためにも十分なる効果が発揮できる。
又見えない敵であるゴミ、埃、花粉、細菌、異臭、虫類などから身を守る効果も発揮できる。
軽量で首や肩に負担がかからず、持ち運ぶ意識がないからいつでも何処でも愛用できて非常に便利である。
又、ネックレスとして様々な色やデザインと形の変化を取り入れればファッシヨンとしても効果がある。
【図面の簡単な説明】
【０００７】
【図１】本発明の斜視図である。
【図２】本発明の実施図である。
【図３】本発明の斜視図である。
【符号の説明】
【０００８】    １：球状部品
２：送風口
３：連結の為の孔
４：連結用パイプ
５：完成図
６：電池式モーター内臓のケース
７：電池式モーターケースを繋ぐパイプ
８：首飾りジョイント部分
９：首飾りの孔を外側に向けて風が吹いている実施図
１０：首飾りの孔を内側に向けて風が吹いている実施図
１１：風の位置を変える様子の実施図
１２：一本のパイプで首飾りとする斜視図
１３：風の方向を決めるウイング
１４：ウイングを嵌めた様子の斜視図
１５：首飾り状パイプ
【図１】
2014236945.tif 000003
【図２】
2014236945.tif 000004
【図３】
2014236945.tif 000005
(57)【要約】      （修正有）【課題】シンプルな囲碁ゲームを提供する。【解決手段】２色の駒を使用し、縦横同数のマス目の盤上で、２人が一対一で交互に一回づつ駒を移動させ自軍の駒で相手の駒を挟みその駒を取り合いをする遊び的な競技。どちらかの駒が一個に成れば負け、競技は終了、又はどちらかの駒が数個に成れば競技終了、競技時間を決めて競技を行っても良い，その時取った駒数の多い方が勝ち．移動は、縦又は横方向へ同じ筋を一回、（筋をまたがって移動出来ない。マスの外へは移動出来ない。．移動している持ち駒は他の駒（味方・相手共）を飛び越える事は出来ない競技の終了はゲームを始める前に２人で決める。【選択図】図１
2014236941.tif 000002
【特許請求の範囲】
【請求項１】
発明の名称、    駒の挟みゲーム
【請求項２】
駒の挟みゲームで使う道具
【請求項３】
駒の挟みゲームのルール
【発明の詳細な説明】
【発明の概要】
１、表面２色の駒をマス目の盤上で駒を取り合う遊びのゲームです。
このゲームは二人で行い、２色の駒を（２色を仮に白色と黒色にすると一方が白、も    う一方が黒を持って対戦します。）互いに取り合って、取った数の多いほうが勝ちと    いう、シンプルなゲームです。
２、［駒の挟みゲームで使う道具］
このゲームで遊ぶために必要な道具は、［図１］表面が２色、裏面が表面２色以外の色  の駒と、縦・横同数のマス目の盤です。
３、駒の挟みゲームのルール
［図２］１５×１５＝２２５マスの盤上で戦う。［図３］中央のマスと４隅の外側から３マス目のマスの、５個所を空けて表面の白、黒１１０個づつ２２０個を裏向けに均等にかき混ぜて配置する。
二人でどちらの色にするかを決める．
次に先攻・後攻を決める。
駒を今有る場所を変えないように表面を上に見えるようにする。
二人で、一対一で交互に競技を行う先攻から交互に一回ずつ駒を動かす、どちらかの駒が一個に成れば負け、競技は終わる。
どちらかの駒が数個に成れば競技は終わりとしても良い、勝敗は前項と同じ。
又は時間を決めて競技を行っても良い、競技を終わる時、取った駒の多い方が勝ち。
競技の終了はゲームを始める前に２人で決める
駒を動かす時のルール
１．先攻の人から自分の色の駒を盤上の空いているマス５個所の内１箇所を選んで移動し    挟んだ相手の駒を取る、次に後攻の人が自分の色の駒を空いている所を選んで移動し    相手の駒を挟んで取る、これを交互に繰り返す。
２．移動出来るのは、縦又は横方向へ同じ筋を一回、（筋をまたがって移動出来ない）マ    スの外には移動出来ない。
３．移動している持ち駒は他の駒（味方・相手共）を飛び越える事は出来ない
相手の駒を取るには、
［図４］相手の駒を自分の駒２個で隙間のない様に縦又は横に１個あるいは複数挟めば    取れる，斜め方向はだめ取ることができない
［図５］隅の駒は縦・横に曲がって挟めば取れる。
【図面の簡単な説明】
【図１】駒の挟みゲームで使用する駒の図面
【図２】駒の挟みゲームで使用する１５×１５マス目の盤
【図３】「競技前のコマの配置図」
【図４】「相手のコマを取る時の図」
【図５】「隅のコマの取り方の．図」
【符号の説明】  １  空、  配置の時、その場所に駒を置かずに空けて置く場所
２  白、  表面が白い駒
３  黒、  表面が黒い駒
４  赤文字の白、  移動して来た白駒
５  赤文字の黒、  移動して来た黒駒
【図１】
2014236941.tif 000003
【図２】
2014236941.tif 000004
【図３】
2014236941.tif 000005
【図４】
2014236941.tif 000006
【図５】
2014236941.tif 000007
(57)【要約】【課題】鍼治療の効果に加え、美容の側面からデリケートな顔面の皮膚へのダメージ（粘着テープのかぶれや剥がす際の掻き傷など）を軽減するように美容専用（顔専用）の円皮針を提供する。【解決手段】画びょうの形状の針１を、美容液を含ませた平たい円柱状のゲル素材３で覆い、ゲル素材３の片面から針１の先端部がゲル素材３を突出する。皮膚への接地面が針１以外は全て、粘度を調整して保湿を保ったゲル素材３であることを特徴とする。また、美容液入りのケースに収納することでさらにゲル素材３の保湿力を高めることが可能である。【選択図】図１
2014236942.tif 000002
【特許請求の範囲】
【請求項１】
画びょうの形状の針１を、美容液を含ませた平たい円柱状のゲル素材３で覆ったことを特徴とし、ゲル素材３の片面から針１の先端部がゲル素材３を突出して構成された美容専用（顔専用）の円皮針。
【発明の詳細な説明】
【技術分野】
【０００１】本発明は、画びょうの形状の鍼灸針をゲル素材でおおった顔面の皮膚にやさしい美容専用（顔専用）の円皮針に関するものである。
【背景技術】
【０００２】従来、治療目的に作られた円皮針を顔面にも使用していたため、デリケートな顔面の皮膚に使用するのは不向きだった。（特許文献１参照）
【先行技術文献】
【特許文献】
【０００３】
【特許文献１】特開２０１０−２９５１２号公報
【発明の概要】
【発明が解決しようとする課題】
【０００４】上記、特許文献１に記載の円皮針（鍼灸針）においては、つぎのような欠点があった。
従来、円皮針は治療の側面から作られたもので、美容の側面（皮膚へのダメージ）を考えて作られていない。全身どの場所でも同じ円皮針を使用すること、治療効果を持続（３日前後）させるために粘着テープで固定することからかぶれの原因にもなり、剥がしづらく爪を立てて剥がすことでデリケートな顔面の皮膚に傷をつけてしまう。
また、治療のイメージが強く、鍼灸師が施術するという固定概念や施術料金の高さで広く一般の方が美容針を体感することが難しかった。
本発明は、以上のような欠点をなくすためになされたものである。
【課題が解決するための手段】
【０００５】本発明に係る円皮針（鍼灸針）は、画びょうの形状の針１を、美容液を含ませた平たい円柱状のアガロースを主成分としたゲル素材３で覆い、ゲル素材３の片面から針１の先端部がゲル素材を突出するような構成とする。
【発明の効果】
【０００６】本発明によれば、粘着テープの固定から美容液を含ませたゲル素材にすることで、鍼の効果に加え、デリケートな顔面部の皮膚へのダメージ（かぶれや剥がす際の掻き傷など）を最小限に抑えることが可能である。
また、美容の側面からアプローチすることやご自身で簡単に出来る円皮針を使用することで、鍼灸師の施術料金がかからず、安価に手軽に体感することが可能である。
【図面の簡単な説明】
【０００７】
【図１】本発明に係る円皮針（鍼灸針）の実施形態を示し、（ａ）は平面図、（ｂ）は正面図、（ｃ）は斜視図である。
【図２】美容液入りの収納容器の説明図である。
【発明を実施するための形態】
【０００８】以下、本発明を実施するための形態について説明する。
【０００９】針１は、セラミック製または金属製（ステンレス製）で、必要な深さ以上の皮膚に刺さらないようにするため、画びょうの形状の鍼灸針になるように形成する。
セラミック製は、画びょう形状の一体型になるように形成する。
金属製は、樹脂材の固定具２に針１を取り付けて画びょう形状になるように形成する。
セラミック製および金属製の針１による治療効果は同等に見込める。
【００１０】美容液を含ませた平たい円柱状のゲル素材３は、アガロース（寒天の元）を主成分として形成されており硬さや粘度を自由に調整することが可能である。
また、他のゲル素材と精製方法が違い液体状から温度を下げて固めることから、美容液を入れることや針１を入れて形成することが可能である。
【００１１】また、デリケートな顔面部の皮膚の乾燥を抑えることを目的としているため、ゲル素材の乾燥も最小限に防ぐために使用直前まで、美容液６入りのケース４に収納することも可能である。その際、腐食の少ないセラミック製の針１を使用することで、長い期間の保管が可能である。
【００１２】以上のような素材から、針１は、美容液を含ませた平たい円柱状のゲル素材３に覆われており、ゲル素材３の片面から針１の先端部分がゲル素材３を突出するように形成する。
この突出した部分により皮下に刺入する。顔面部の皮膚には、針１の先端部以外は全て美容液を含ませたゲル素材３が皮膚に触れるように固定する。デリケートな顔面の乾燥を防ぎ皮膚へのダメージを最小限に抑えることができる。
本発明は、以上のような構造である。
【００１３】本発明を使用するときは、美容液を含ませたゲル素材を持ち、針１をつぼまたは、血流を改善するポイントに刺通する。円皮針を皮膚に留置する際、円皮針を皮膚から抜く際にデリケートな顔面の皮膚へのダメージを最小限に抑えることができる。
【００１４】尚、本発明の実施形態について説明したが、これに限定することを意図するものではなく、本発明の実施に際しては、特許請求の範囲に記載の趣旨及び範囲内で、様々な変更を行うことができる。
【符号の説明】
【００１５】  １  ａ針（セラミック製）
１  ｂ針（金属製）
２  固定具
３  美容液を含ませたゲル素材
４  ケース本体
５  ケース蓋
６  美容液
【図１】
2014236942.tif 000003
【図２】
2014236942.tif 000004
(57)【要約】【課題】布団カバーの脱着作業を簡単にする。特に、カバー交換時の布団カバーと布団の角違いを解消する。【解決手段】布団カバー内側四角にそれぞれ異なる４種類の色、数字、文字、絵、記号等をつける。そして、布団四角にも布団カバーと同じ色、数字、文字、絵、記号等をつけ、布団カバーと布団の四角の識別を簡単にする。さらに磁石やマジックテープ、ボタン等で脱着することにより、作業が容易になり、尚且つ角違いで布団と布団カバーを装着することを防ぐ。【選択図】図１
2014236943.tif 000002
【特許請求の範囲】
【請求項１】
布団カバーの内側の４角にそれぞれ異なる４種類の色、数字、文字、絵、記号等をつける。布団にも同様に４種類の色、数字、文字、絵、記号等をつける。
これにより、布団と布団カバーの四角を見分け易くなり、布団と布団カバーの四角を角違いでとめてしまうのを防ぐ。
【請求項２】
布団４角に磁石、マジックテープ、ボタン等で着脱する。
これにより、着脱が簡単になる。
【発明の詳細な説明】
【発明が解決しようとする課題】
【０００１】  現状において主流な布団カバーは布団カバー四角に紐が２本でていて、それを布団に四角に結びつけるのが主流である。
しかし、それでは結ぶのに手間と時間がかかるだけではなく、せっかく結びつけたのに、違う角と角を結びつけてしまい、さらに手間がかかることがある。
【０００２】  本発明者は、このような布団カバーの脱着の煩わしさに着目し、その煩わしさが少しでも軽減される方法を提供することを目的とする。
【解決するための手段】
【０００３】  布団カバー内側四角にそれぞれ異なる４種類の色、数字、文字、絵、記号等をつける。そして、布団四角にも布団カバーと同じ４種類の色、数字、文字、絵、記号等をつけ、現状において主流の紐ではなく、磁石やマジックテープ、ボタン等で脱着する。
【発明の効果】
【０００４】  この発明により、布団カバーの脱着作業が容易になり、手間と時間が短縮され、尚且つ、色、数字、文字、絵、記号等で簡単に四角を見分けることができる為、角違いで装着してしまうことを防ぐ。
【発明を実施する形態】
【０００５】図面を参照して説明するものとする。
【図１】
2014236943.tif 000003
【手続補正書】
【提出日】平成25年8月6日(2013.8.6)
【手続補正１】
【補正対象書類名】明細書
【補正対象項目名】全文
【補正方法】変更
【補正の内容】
【発明の詳細な説明】
【発明が解決しようとする課題】
【０００１】  現状において主流な布団カバーは布団カバー四角に紐が２本でていて、それを布団に四角に結びつけるのが主流である。
しかし、それでは結ぶのに手間と時間がかかるだけではなく、せっかく結びつけたのに、違う角と角を結びつけてしまい、さらに手間がかかることがある。
【０００２】  本発明者は、このような布団カバーの脱着の煩わしさに着目し、その煩わしさが少しでも軽減される方法を提供することを目的とする。
【解決するための手段】
【０００３】  布団カバー内側四角にそれぞれ異なる４種類の色、数字、文字、絵、記号等をつける。そして、布団四角にも布団カバーと同じ４種類の色、数字、文字、絵、記号等をつけ、現状において主流の紐ではなく、磁石やマジックテープ、ボタン等で脱着する。
【発明の効果】
【０００４】  この発明により、布団カバーの脱着作業が容易になり、手間と時間が短縮され、尚且つ、色、数字、文字、絵、記号等で簡単に四角を見分けることができる為、角違いで装着してしまうことを防ぐ。
【発明を実施する形態】
【０００５】図面を参照して説明するものとする。
【図面の簡単な説明】
【０００６】
【図１】布団カバー内側のＡと布団のＡ、ＢからＤも同様に対応させていることを示す図である。  ＡからＤは異なる色をつける。  例えば、布団カバー内側Ａに赤をつけた場合、布団Ａにも赤をつけ、布団カバー内側Ｂと布団Ｂには黄色、布団カバー内側Ｃと布団Ｃには緑、布団カバー内側Ｄと布団Ｄには白をつける。
(57)【要約】【課題】サツマイモなどのつる性苗を作業者が立ち姿勢の常態で植付けを可能にした苗植付け器を提供する。【解決手段】植え付けるうねの横に作業者が立ち、片手に持った植付け器を肘を曲げた常態でうねに接する程よい長さとし、その先端に挟む部分を備え、その部分に苗茎を入れ、レバーを引くとその苗茎が挟み保持される構成とし、挟んだ苗をうねに向け、曲げていた肘を伸ばしながうねの土中に差込み、レバーから指を放し苗植付け器を引き抜くと苗が土中に残されるようにする。【選択図】図１
2014236714.tif 000002
【特許請求の範囲】
【請求項１】
本体１の端に苗茎を挟み保持するためのハサミ２ａ２ｂがあり、そのハサミ２ａ２ｂを閉じるための引き線３ａ３ｂをハサミ２ａ２ｂのハサミと引き線接続部４ａ４ｂから、互いに交差するように引き線出し穴５ａ５ｂから引き線３ａ３ｂを出し、その引き線を引き線入れ穴７ａ７ｂへ通しレバー８の末端に繋げる事によりレバー８を指で引くとハサミ２ａ２ｂが閉じるように構成とした苗植付け器。
【発明の詳細な説明】
【技術分野】
【０００１】
本発明は従来の腰を低くしての苗の植付け作業から、立ち姿勢で苗の植付け作業が出きるようにした苗植付け器に関するものである。
【背景技術】
【０００２】
従来の小規模な農地では一般的に機械化の植付けはされておらず、手作業による苗の植付け作業が行われている。この作業は、畑のうねに苗茎の元に竹棒や火バサミを使い苗を土中に差し込む方法で植え付けるため、腰を低くしての作業となる。
【０００３】
そのため長時間の苗植付け作業は腰への負担が大きいため、腰への負担軽減を目的に工夫された類似の器具として実用新案登録第３１４９７３２号がある。
【先行技術文献】
【特許文献】
【０００４】
【特許文献１】実用新案登録第３１４９７３２号
【特許文献２】登録実用新案公報大３００７７１２号
【発明の概要】
【発明が解決しようとする課題】
【０００５】
しかしながら上記、公知の器具は実用新案登録第３１４９７３２号の００１６項に記載されているように、器具にセットされた苗え茎先端２〜３センチがフォーク２で折れ曲がり土中に差し込まれるため苗の端部に近い節の発根部位の組織が損傷する事が予想される。
【０００６】
したがって、発根部の成長が一部阻害され、イモ類などでは収穫量に影響することも考えられる。
【課題を解決するための手段】
【０００７】
本発明は、上記課題を解決するために、ハサミ（２ａ、２ｂ）により苗茎の側面を挟む構造とする事で、苗の端部は真っ直ぐハサミ（２ａ，２ｂ）により保護され土中に差し込まれるようにした。
【０００８】
ハサミ（２ａ、２ｂ）はハサミと引き線接続部（４ａ、４ｂ）を支点とし、そこから引き出された２本の引き線（３ａ、３ｂ）は引き線入れ穴（７ａ７ｂ）を通し、レバー端と引き線接続部（６）につなぐ事により、レバー（８）を指で引くとハサミ（２ａ、２ｂ）は互いに引き寄せられ苗茎を挟めるようにした。
【０００９】
また、本体（１）の長さは立ち作業に適した長さとし、苗茎をハサミ（２ａ、２ｂ）の間に入れ、レバー（８）を引く事により、保持された苗を片手で畑のうねに差込後、レバー（８）から指を離し、引き抜く事で苗のみがうねの土中に植え込まれるようにした。
【発明の効果】
【００１０】
本発明の構成により、立ち姿勢の常態で、苗挟み、挿し、抜きの３工程で一つの苗植えが完了するため、作業効率の向上と足腰の疲労軽減が期待できる。
【図面の簡単な説明】
【００１１】
【図１】本発明の苗植付け器の正面図と低面図
【図２】苗植付け器に苗茎を挟み保持した部分斜視図
【発明を実施するための形態】
【００１２】
本発明の実施の形態について、一実施例としてサツマイモの苗植付けを対象として、苗植付け器について説明する。図１は本発明の苗植付け器であり、本体１の端に苗茎を挟み保持するためのハサミ２ａ２ｂがあり、そのハサミ２ａ２ｂを閉じるための引き線３ａ３ｂをハサミ２ａ２ｂのハサミと引き線接続部４ａ４ｂから、互いに交差するように引き線出し穴５ａ５ｂから引き線３ａ３ｂを出し、その引き線を引き線入れ穴７ａ７ｂへ通しレバー８の末端に繋げる事により指でレバー８を引くとハサミ２ａ２ｂが閉じる構成とし、挟んだ苗茎を開放するにはレバー８から指を離す事により、ハサミ２ａ２ｂは元に復元する板バネ効果により開放されるようにした。
【産業上の利用可能性】
【００１３】
本発明は、サツマイモなどの、つる性苗の植付け作業に最適であり、機械が入れない地形の畑での利用に適応できる。
【符号の説明】
【００１４】
１  本体（パイプ）
２ａ２ｂ  ハサミ
３ａ３ｂ  引き線
４ａ４ｂ  ハサミと引き線接続部
５ａ５ｂ  引き線出し穴
６  レバー端と引き線接続部
７ａ７ｂ  引き線入れ穴
８  レバー
９  グリップ
Ｓ  つる性苗
【図１】
2014236714.tif 000003
【図２】
2014236714.tif 000004
(57)【要約】【課題】  魚骨ペーストの製造方法及びそれを利用した食品【解決手段】魚骨（魚肉を含む）は、高温高圧処理を行うと軟化し食することが出来ようになる。この軟化した魚骨を粉砕し、魚臭をマスキングすることによって食品素材として利用することが可能である。これら魚骨の食品素材から製造した「ハンバーグやクリームコロッケ」等は、魚骨を含まない製品と比較して、カルシウム、コラーゲン、ＥＰＡやＤＨＡを付加させることができる。また、同時に、廃棄物をなくすることも可能である。【特許請求の範囲】
【請求項１】
３枚におろした魚骨等を１２１℃以上、２０分以上の高温高圧処理により軟化・粉砕し、魚臭のマスキング剤を添加した食品素材の製造方法。
【請求項２】
魚肉の魚骨に対する割合が、１％以上５０％未満の請求項１の食品素材
【請求項３】
粗脂肪が、１％以上の請求項１又は２の食品素材
【請求項４】
カルシウムが、１％以上の請求項１、２又は３の食品素材
【請求項５】
コラーゲンが、１％以上の請求項１、２、３又は４の食品素材
【請求項６】
請求項１から５の食品素材を添加した食品
【発明の詳細な説明】
【技術分野】
【０００１】  本発明は、魚の骨を主原料とするペーストの製造方法に関する。特に、脂質含量の多い骨のペースト製造方法に関する。
【背景技術】
【０００２】  カルシウムは人に必要な栄養源で、骨粗鬆症やその他の疾病予防のために摂取量を増やすことが推奨されている。魚骨は成長期の骨の機能を維持するために必要なカルシウム源としてはリン酸カルシウムと同等の効果を有しているが、リン酸カルシウムと異なり、生体内のミネラル代謝、特に鉄の吸収を妨げない優れたカルシウム源である。さらに、高齢化モデルの動物に魚骨を摂取させると、骨粗鬆症の予防の他に血中の中性脂質、中性脂質を運搬するリポタンパク質（ＶＬＤＬ）や総コレステロールを低下させる傾向が認められている。【０００３】  魚を原料とした加工品の中で、魚の缶詰、佃煮、揚げかまぼこ（ジャコ天ぷらなど）、酢漬け（ママカリ）などは骨まで食しうる加工品である。しかし、魚種、大きさによって骨の硬さに差があり、全ての魚種でこれらの加工条件によって骨も食し得る加工品が製造できるとは限らない。なぜなら、これらの食品は骨を食べるために開発されたものではなく、それらの加工方法によって副次的に骨が軟化された結果にすぎないからである。【０００４】  近年、ハマチやマダイの流通形態が変化してきており、切身フィレ−で出荷される割合が増加している。これに伴い、生産地には頭部、中落とし、内臓、シラコ、卵などが残されているが、ほとんど利活用されていない。このような現状からも魚骨の利用促進が望まれている。
【特許文献】
【０００５】  魚骨の利用は、例えば、下記特許文献１乃至５に開示されている。
【特許文献１】特開２００９−２１９４７９号公報
【特許文献２】特開２００３−２２５０７０号公報
【特許文献３】特開平１０−０１４５２８号公報
【特許文献４】特開平０８−０５１９６０号公報
【特許文献５】ＷＯ２００７−０６６６５４号公報
【発明の概要】
【発明が解決しようとする課題】
【０００６】  このような現状から、魚骨の栄養成分を保持した食品加工品の開発と、廃棄物のでない魚骨の利用方法の開発が強く望まれている。
【課題を解決するための手段】
【０００７】  本発明の魚骨の軟化粉砕物の製造方法は、魚骨を高温高圧処理した後、粉砕し、魚臭のマスキング剤を添加することを特徴としている。これらの処理を行うことによって、カルシウム、コラーゲン、ＥＰＡやＤＨＡ等の栄養成分も保持することができる。
【発明の効果】
【０００８】  従来、廃棄物として処理されてきた魚骨から、カルシウム、やコラーゲン、ＥＰＡやＤＨＡ等が豊富なハンバーグ、クリームコロッケ等が製造できることが判明したため、魚骨の食材としての利用価値が高く、食品業界での活用が期待される。
【発明を実施するための形態】
【０００９】  本発明における３枚に卸した魚骨は、養殖あるいは天然のマダイ、ハマチ、カンパチ、サケ等の魚骨が挙げられる。
また、本発明で得られる食品は、本発明で得られた食品素材を、焙焼、蒸す、煮る方法で得られる食品をすべて包括し特に限定はない。例えば、ハンバーグ、練り製品、焼売、団子、肉まん等である。
本発明で使用される魚骨は、１２１℃から１３０℃で、２０分から６０分の高温高圧加熱処理を行うことによって軟化後、魚臭を抑えることができ、食品素材として利用可能である。
【試験例１】
【００１０】  養殖マダイの中骨を温度別時間別に高温高圧処理を行い、中骨の硬度の変化を測定した結果を図１に示す。中骨が容易に食することができるテクスチュロメーターの値は２ｋｇ／ｖ・ｃｍ以下であるため、図１より、中骨を容易に食することができるためには、１３０℃で１２分の加熱、１２５℃で１５分の過熱、１２０℃で４０分の加熱が必要であった。ただ、１１５℃で６０分の加熱では、骨の硬度は２．３ｋｇ／ｖ・ｃｍで、２ｋｇ／ｖ・ｃｍ以下とはならなかった。
【００１１】
2014236721.tif 000002
【試験例２】
【００１２】  養殖マダイの中骨の成分分析を行った結果を表１に示した。表１の結果より、養殖マダイの中骨を高温高圧処理することによって、５成分はほとんど変わらないことがわかった。しかし、ＤＨＡは、約８０％に減少していた。
【００１３】
【表１】
2014236721.tif 000003
【実施例１】
【００１４】  上記方法にて作製した食品素材（中骨ペースト）を使用して、鯛クリームコロッケと鯛ハンバーグカツを試作し、成分分析を行ったので、その結果を表２、写真１，２に示す。【００１５】
【表２】
2014236721.tif 000004
【００１６】
2014236721.tif 000005
【００１７】
2014236721.tif 000006
【産業上の利用可能性】
【００１８】  従来、廃棄物として処理されてきた魚骨から、カルシウム、コラーゲン、ＥＰＡやＤＨＡ等の豊富なハンバーグ等が製造できることが判明したため、魚骨の食材としての利用価値が高く、技術移転を行うことにより、食品加工業界での活用が期待される。
(57)【要約】【課題】  キノコ育成やクワガタ飼育等に使われる菌糸ボトルの中身（菌床）を崩さずに簡単に取り出せる工夫をし、菌床廃棄時や幼虫のボトル交換時の労力を軽減する。合わせて空ボトルの保管効率をアップする。【解決手段】  容器本体に抜き勾配があり、その頂点で容器を分離することによって、中身（菌床）の形を保ったまま取り出すことができる。抜き勾配は空の容器を積み重ねることも可能にする。【選択図】図３
2014236708.tif 000002
【特許請求の範囲】
【請求項１】
容器本体に抜き勾配があり、その頂点で容器を分離することによって、中身（菌床）の形を保ったまま取り出せることを特徴とする菌糸ボトル。
【請求項２】
抜き勾配があることにより、保管や発送時に空の容器が積み重ねられることを特徴とする菌糸ボトル。
【発明の詳細な説明】
【技術分野】
【０００１】
この発明はキノコ育成やクワガタ飼育等に使われる菌糸ボトルの形状に関する。
【背景技術】
【０００２】
従来の菌糸ボトルは図４に示すように円筒形で途中に分離部は存在しない。
【０００３】
特許文献１に図５のような二つに分離する菌糸ビンが存在するが、ボトル形状が円筒形を想定していて、中身（菌床）を取り出す際、崩れやすいと思われる。
【先行技術文献】
【特許文献】
【０００４】
【特許文献１】特開２００６−７５１４３号公報
【発明の概要】
【発明が解決しようとする課題】
【０００５】
使い終わった菌床を取り出すために、スプーン等を使用して１本１本作業するのが、かなりの労力を要する。
【０００６】
クワガタ幼虫飼育における交換時、スプーン等で幼虫を傷つける恐れがある。
【０００７】
幼虫がボトル下面に落ち着いていることが多いため、抜き勾配のないボトルでは、その部分を崩さずに取り出すことが困難。
【０００８】
空ボトルの、保管、発送効率が悪いため、スペースが必要。
【課題を解決するための手段】
【０００９】
以上の課題を克服するために、抜き勾配を付け、下面に深皿のように幼虫を保護するための受けを作って、傾斜頂点で上下に分離するボトルを考案します。
【００１０】
合わせて、保管、発送時のスぺース効率も考え、図６のように、積み重ねができることも考案します。
【発明の効果】
【００１１】
このボトルを使用すれば、遣い終わった菌床を破棄するのが簡単になり、作業性がアップします。
【００１２】
クワガタの幼虫飼育におけるボトル交換時でも、幼虫を傷つけることなく、簡単に取り出すことができるようになります。
【００１３】
空の容器が積み重ねられるようになり、保管、発送のスペース効率がアップします。
【図面の簡単な説明】
【００１４】
【図１】この発明の接合した状態の菌糸ボトル斜視図（ネジ嵌合案）
【図２】この発明の接合した状態の菌糸ボトル斜視図（クランプ案）
【図３】この発明の分離した状態の菌糸ボトル斜視図（ネジ嵌合案）
【図４】従来ボトル斜視図
【図５】特許文献１に存在するボトル斜視図
【図６】この発明のボトルの保管、発送時の重ね合わせ正面図
【符号の説明】
【００１５】
１  ボトル上部
２  ボトル下部
３  フタ
４  クランプ
５  菌床
【発明を実施するための形態】
【００１６】
ボトル下部は深皿のような形状とし、抜き勾配を付けます。
【００１７】
ボトル上部は抜き勾配を付けながら、必要な内容量になるように高さを確保します。
【００１８】
この２つのボトルをネジ嵌合（図１）、又は、クランプ（図２）等を使用して接合します。
【図１】
2014236708.tif 000003
【図２】
2014236708.tif 000004
【図３】
2014236708.tif 000005
【図４】
2014236708.tif 000006
【図５】
2014236708.tif 000007
【図６】
2014236708.tif 000008
(57)【要約】      （修正有）【課題】冷凍・冷蔵保管して、温かいだし汁に芋麺いれて温めて食べる時、風味があり、麺にコシがある芋粉麺及びその製造方法を提供する。【解決手段】さつま芋粉１００に対して、甘藷澱粉２５、小麦粉２５、山芋１７、還元水飴６．２５、および昆布酸０．９を熱湯（２）８７の重量割合で混練（３）したあと、押出式製麺機（４）で熱湯（２）中に落として５分間茹で上げ（５）、さらに２０℃以下の冷水で冷却（６）した芋粉麺（９）。【選択図】図１
2014008056.tif 000002
【特許請求の範囲】
【請求項１】
重量比でさつま芋粉６〜７割、甘藷澱粉、小麦粉をそれぞれ１〜２割、残りを山芋還元水飴、および昆布酸からなる微量の添加物を混練してなることを特徴とする芋粉麺
【請求項２】
さつま芋粉１００に対して、甘藷澱粉２５、小麦粉２５、山芋１７、還元水飴６．２５、および昆布酸０．９からなる原材料を熱湯８７の重量割合で混練したあと、麺押し機で直接熱湯中に落として２〜４分間茹で上げ、さらに２０℃以下の冷水で冷却するようにしたことを特徴とする芋粉麺の製造方法
【発明の詳細な説明】
【技術分野】
【０００１】  この発明は、芋粉麺およびその製造方法に関するものである。
【背景技術】
【０００２】  従来からさつま芋粉を原材料として用いて麺類を製造する方法として種々提案されている。ひとつはさつま芋の粉と小麦粉を六兵衛のゆで汁と塩水でこねて、麺状にして、六兵衛のゆで汁でゆがきあげた冷麺がある（特許文献１参照）。また、さつま芋の風味を損なうことなく麺を味わうためにさつま芋粉だけを使用して製麺するようにしたものが提案されている（特許文献２、特許文献３、特許文献４参照）。【０００３】  しかしながら、これらの特許文献に示された方法は製造工程が複雑であったり、つなぎ材を用いずにさつま芋のみで麺を作る方法にあっては、やはり麺状にはなるものの、腰が弱くて弾力性に欠け、調理するときや食するときにはボロボロと短く切れるという欠点があった。
【先行技術文献】
【特許文献】
【０００４】
【特許文献１】特開平８−６６１５８
【特許文献２】特開２０１０−１５８２２
【特許文献３】特開平４−９４６６５
【特許文献４】特開平６−２９６４７１
【発明の概要】
【発明が解決しようとする課題】
【０００５】  従来の芋粉麺は製造したあと、生麺として食するほか、冷蔵もしくは冷凍保存している。またこれを食するにあたっては温かいだし汁に芋粉麺をいれ温めている。ところが食べるときコクコクと固く、また長い麺がボロボロと短く切れるとともに、さつま芋特有の風味がなく、麺の腰がなくなって食べにくかった。
【課題を解決するための手段】
【０００６】  この発明は、そのような従来の麺の課題を解決するために、さつま芋粉１００に対して甘藷澱粉２５、小麦粉２５、山芋１７、還元水飴６．２５、および昆布酸０．９を熱湯８７の重量割合で混練したあと、麺押し機で熱湯中に落として２〜４分間茹で上げ、さらに２０度以下の冷水で冷却するようにしたものである。しかも茹で上げ後に保存性の良い麺類を提供することにある。
【発明の効果】
【０００７】  所定の配合でこねて圧縮麺製造機で押し出し、湯がき上げ冷却した芋粉麺は乾燥しないような容器に入れ・常温・冷蔵・冷凍保管しても、また乾燥製品として保存する。芋粉麺であってもこりこりと腰のある切れにくい麺として食べやすい。また、甘味と保湿性が加わり風味が有りつるつるとツヤのある食べやすく、短期から長期保存できるとともに料理がし易い芋粉麺を提供できる。
【図面の簡単な説明】
【０００８】
【図１】本発明の製造工程を示すブロック図である。
【発明を実施するための形態】
【実施例】
【０００９】  本発明の一実施例を図面を用いて説明する。さつま芋粉２００ｇと山芋３４ｇと澱粉５０ｇと小麦粉５０ｇと還元水飴１２．５ｇと昆布酸１．８ｇとからなる原材料１に１７４ｇの熱湯２を加えて混練３する。【００１０】  なお、前記原材料１のうちのひとつである山芋はここでは自然薯を使用したが、その他に大和芋またはつくね芋または長いもまたは里芋の中から一種もしくは数種類を選択して使用してもよい。また、澱粉は、甘藷澱粉を使用したが他の澱粉を使用することもできる。
還元水飴又は還元澱粉糖化物「ＭＵ−４５」（上野製薬（株）の商品）を使用した。トレハ（林原商事の商品）でもよい。また、昆布酸としては（株）キミカ製の天然の海藻から抽出したアルギン酸で商品名「昆布酸５０１」を使用した。【００１１】  次にこれらを十分に撹拌し捏ね、混練３したあと、これを押出し式の製麺機４に入れ、高圧をかけて麺状に押出す。製麺機４の下には沸騰したお湯を配置し、押出された麺が直ちに熱湯で湯がき５ができるようにしている。２〜４分程度湯がいた後これを２０℃以下の冷水６で冷却して完成する。【００１２】  このようにして出来上がった芋粉麺９は生麺としてそのまま食することができる。生麺の場合は、湯がきは４分程度が適しております、冷凍、冷蔵、乾燥麺の場合は湯がきは２〜３分で充分である。また、１食ずつ計量・型入れし、冷蔵または冷凍７工程を経て製品化し冷凍芋粉麺９として保存出荷する。冷凍するときには−３０℃以下で冷凍するのが好ましい。さらに１食ずつ計量・型入れした芋粉麺を、乾燥８させて製品化し乾燥芋粉麺として保存、出荷する【００１３】  このように小麦粉と甘藷澱粉と昆布酸少々を加える事によりさつま芋の風味を生かしながら，こりこりと腰のある麺、切れにくい麺、調理のしやすい麺を提供できるようになった。また、還元水飴又は還元澱粉糖化物を加える事により、甘味と保湿性が加わり風味が有りつるつるとツヤのある食べやすい芋粉麺を提供できた。さらに、冷凍もしくは乾燥することにより作りたての品質を保ったまま長期に保存が可能になった。
【符号の説明】
【００１４】  １    さつま芋粉等の原材料
２    熱湯
３    混練
４    押出し式製麺機
５    湯がき
６    水冷却
７    冷凍
８    乾燥
９    芋粉麺
【図１】
2014008056.tif 000003
(57)【要約】【課題】草食動物が食べやすいように牧草材を形作り、保存時にペレット形状を壊しにくい食動物用機能性食品を提供することを課題とする。【解決手段】草食動物用機能性食品は、ティモシー、イタリアンライグラス、クレイングラス、バミューダグラス、オーチャードグラスおよびオーツヘイからなる２種以上のイネ科植物に属する０．１〜１ｍｍ程度の粉末状の牧草材に水分を含ませて固めペレット状に形成したことを特徴とする。【選択図】なし【特許請求の範囲】
【請求項１】
ティモシー、イタリアンライグラス、クレイングラス、バミューダグラス、オーチャードグラスおよびオーツヘイからなる２種以上のイネ科植物に属する０．１〜１ｍｍ程度の粉末状の牧草材に水分を含ませて固め、当該牧草材をペレット状に形成したことを特徴とする草食動物用機能性食品。
【発明の詳細な説明】
【技術分野】
【０００１】  本発明は、特に兎，モルモットやフェレット等の草食動物に好適な草食動物用食品に関する。
【背景技術】
【０００２】  現在のペットブームにより、動物たちに対する健康維持には注意が払われるようになり種々の成分を含む健康食材が扱われている。
特に犬や猫にあっては飼い主たちも多数いることから多くの種類の食材が提供されている。
一方、兎や，モルモットやフェレット等の動物は体が小型であることから、食べる量も少ないため、食材の改良が進んでいなのが現状である。【０００３】  そこで、特許文献１には、アップルファイバーに含まれる果糖が自然乾燥で固形化する特性を利用し、粉末、ゲル状及び半練状態又は、自然乾燥により固形化する等、種々の段階で最善の硬さに調整可能として、歯、顎、骨格等に障害を持つ個体でも容易に咀嚼可能となり、動物各々の固体が必要な繊維質量を摂取でき、また高温での熱処理を行わないことから、アップルファイバー、セルロースおよびヘミセルロース、リグニン、牧草微粉末が持つ特性を大幅に損なう危険を回避できる手段が開示されている。
【先行技術文献】
【特許文献】
【０００４】
【特許文献１】特開２００６−１７４８１１号公報
【発明の概要】
【発明が解決しようとする課題】
【０００５】  上記特許文献１による動物用の食材は、兎、モルモットやフェレット等の草食動物等には健康維持を図る上で有効で適した食材である。
しかしながら、草食動物の食べやすい大きさを維持しにくいおそれがあった。【０００６】  本発明は、このような実情に鑑み、より一層の研究開発を進めてなされたものであって、草食動物が食べやすいように牧草材を形作り、保存時にペレット形状を壊しにくい食動物用機能性食品を提供することを目的とする。
【課題を解決するための手段】
【０００７】  上記課題を解決するために、本発明の草食動物用食品は、ティモシー、イタリアンライグラス、クレイングラス、バミューダグラス、オーチャードグラスおよびオーツヘイからなる２種以上のイネ科植物に属する０．１〜１ｍｍ程度の粉末状の牧草材に水分を含ませて固め、ペレット状に形成したことを特徴とする。
【発明の効果】
【０００８】  本発明によれば、２種以上の牧草材を粉末状にして水分を含ませて混ぜ合わせることで２種以上の牧草材を草食動物に効率よく与えることができ、コーティングしているので草食動物の食べやすいペレット形状を壊すことなく維持することができる。
【発明を実施するための最良の形態】
【０００９】  以下、本発明を実施するための最良の実施形態について説明する。
本発明の草食動物用食品は、粉末状の２種以上のイネ科稙物に属する牧草材を固め、その周りをコーティングしたものである。【００１０】  イネ科植物は、ティモシー、イタリアンライグラス、クレイングラス、バミューダグラス、オーチャードグラスおよびオーツヘイからなる２種以上である。例えば、ここでは、ティモシー及びオーツヘイとする。【００１１】  ２種以上のイネ科植物に属する牧草材は、０．１ｍｍ〜１ｍｍ程度の大きさに粉砕され、混ぜ合わされる。ここでは、ティモシー及びオーツヘイを１対１の割合で混ぜ合わせる。この混合物に水分を加え、長尺方向に約１０ｍｍ、短尺方向に約３ｍｍ程度の大きさに固められる。【００１２】  これにより、２種以上のイネ科植物をペレット状にして草食動物に与えることができる。
(57)【要約】【課題】  従来のペットシートでは、ペットの排泄物がシートの一部分に吸収されて、未使用領域が多いまま廃棄される。【解決手段】  ペットシートを多面で連続させてトイレ底面より長くし、ペットシートとペットシートの間に切り離し線を設ける。ペットの排泄物が吸収されたペットシートを切り離し廃棄して、残りの連続シートでペットトイレ底面をカバーする。【選択図】図２
2014008058.tif 000002
【特許請求の範囲】
【請求項１】
吸水性の積層シートからなるペットシート１で多数の折り線２を設けて、ペットトイレ４の底面５より長くしたロングペットシート。
【請求項２】
吸水性の積層シートからなるペットシート１を多面で連続させて、ペットシート１とペットシート１の間に切り離し線３を設けて、トイレ４の底面５より長くしたロングペットシート。
【請求項３】
輪状ベルトにした請求項１記載のロングペットシート、又は、請求項２記載のロングペットシート。
【発明の詳細な説明】
【技術分野】
【０００１】  本発明は、ペット等のペットシートに関するものである。
【背景技術】
【０００２】  従来のペットシートは透液性の上面シートと吸液性の吸収体、そして、下面防水シートにより構成されている（例えば、特許文献１参照。）
【先行技術文献】
【特許文献】
【０００３】
【特許文献１】  特開２００９−０１１１８０号  公報
【発明の概要】
【発明が解決しようとする課題】
【０００４】  従来のペットシートでは、ペットの排泄物がシートの一部分に吸収されるが、未使用領域が多いまま廃棄される。【０００５】  本発明は、従来の構造が持つ問題を解決しようとするものであり、ペットの排泄物が一部分に吸収されて、未使用領域が多いまま廃棄されるのを防止することを目的とするものである。
【課題を解決するための手段】
【０００６】  上記の課題を解決するため、本発明ではペットシートを、ペットトイレ底面より長くしたものである。【０００７】  また、第２の解決手段はペットシートを多面で連続させて、ペットトイレ底面より長くしたものである。【０００８】  また、第３の解決手段はペットシートを輪状ベルトとしたものである。【０００９】  上記第１の課題解決手段による作用は次のとおりである。すなわち、ペットシートのペットの排泄物が吸収されている部分を折り曲げて反転させ、残った部分でトイレ底面をカバーする。【００１０】  上記第２の課題解決手段による作用は、ペットシートのペットの排泄物が吸収されている部分を切り取り、残った部分でトイレ底面をカバーする。【００１１】  上記第３の課題解決手段による作用は、ペットシートのペットの排泄物が吸収されている部分を下面にする、又は、切り取り、残った部分でトイレ底をカバーする。
【発明の効果】
【００１２】  上述したように本発明のペットシートは、ペットの排泄物を吸収した部分を反転し下面にしてペットトイレ底面をカバー、又は、切り離して廃棄して、残ったペットシートでペットトイレ底面をカバーして、経済性を向上させる。
【図面の簡単な説明】
【００１３】
【図１】第１の実施形態の広げた状態の正面図である。
【図２】第２の実施形態の広げた状態の斜視図である。
【図３】第３の実施形態の斜視図である。
【発明を実施するための形態】
【００１４】  以下、本発明を発明の実施形態に基づいて詳細に説明する
【００１５】  実施例について図面を参照して説明すると、図１のようにペットシート１に多数の折り線２を設ける。ペットシート１はペットトイレ４の底面５より大きく作成し、折り線２で折ってペットシート１をペットトイレ４の底面５に納める。ペットの排泄物を吸収した部分を折りたたんで下面にして、ペットシート１の未使用部分を上面にして使用することで、ペットシートの使用が効率的になる。
【００１６】  第２の実施例としては図２のように、ペットシート１を多数連続して設け、ペットシート１とペットシート１の間に切り離し線３を設ける。ペットの排泄物を吸収した部分を切り離し線３で切り離し廃棄し、残存のペットシート１でペットトイレ４の底面５をカバーして使用して、ペットシートの使用が効率的になる。
【００１７】  第３の実施例としては、図３のように、第１実施例のペットシート１、又は、第２実施例のペットシート１を輪状ベルトとしたものである。使用に際しては押して２重シートとして、ペットトイレ４の底面５に納める。折り曲げペットシートの場合、ペットの排泄物を吸収した部分を下にして再使用する。第２実施例の切り離しペットシートの場合はペットの排泄物を吸収した部分を切り離し線３で切り離し廃棄し未使用部分のペットシート１でペットトイレ４の底面５をカバーして使用する。
【符号の説明】
【００１８】１  ペットシート
２  折り線
３  切り離し線
４  ペットトイレ
５  トイレ底面
【図１】
2014008058.tif 000003
【図２】
2014008058.tif 000004
【図３】
2014008058.tif 000005